(57)【要約】      （修正有）【課題】信頼性が高く、利用者から見やすい、交通信号灯に適したＬＥＤランプを提供する。【解決手段】複数のＬＥＤ３が取り付けられたＬＥＤ基板５と、該ＬＥＤ基板５の背面中央部に設けられ、複数のＬＥＤ３のうち一部の第１のＬＥＤ群４ａに電力を供給する第１の電源回路７ａと、複数のＬＥＤ３のうち他の第２のＬＥＤ群４ｂに電力を供給する第２の電源回路７ｂとが少なくとも格納される部屋部９と、ＬＥＤ基板５の前面に、ＬＥＤ３を覆うように設けられるグローブと、部屋部９に設けられるプラグ１５とを具備することを特徴とするＬＥＤランプ１である。なお、グローブの直径は、ＬＥＤ基板５の直径よりも大きいことが好ましい。【選択図】図１
0003173945.tif 000002
【実用新案登録請求の範囲】
【請求項１】
複数のＬＥＤと、
前記ＬＥＤが取り付けられたＬＥＤ基板と、
前記ＬＥＤ基板の背面中央部に設けられ、複数の前記ＬＥＤのうち一部のＬＥＤに電力を供給する第１の電源回路と、複数の前記ＬＥＤのうち他の一部のＬＥＤに電力を供給する第２の電源回路とが少なくとも格納される部屋部と、
前記ＬＥＤ基板の前面に、前記ＬＥＤを覆うように設けられるグローブと、
前記部屋部に設けられるプラグと、
を具備することを特徴とするＬＥＤランプ。
【請求項２】
ＬＥＤと、
前記ＬＥＤが取り付けられたＬＥＤ基板と、
前記ＬＥＤ基板の背面中央部に設けられ、前記ＬＥＤに電力を供給する電源回路が格納される部屋部と、
前記ＬＥＤ基板の前面に、前記ＬＥＤを覆うように設けられ、前記ＬＥＤ基板よりも直径が大きいグローブと、
前記部屋部に設けられるプラグと、
を具備することを特徴とするＬＥＤランプ。
【請求項３】
略椀型の反射板と、
前記反射板の前面を覆う前面レンズと、
前記反射板の中央部に取り付けられた請求項１または請求項２に記載のＬＥＤランプと、を具備するランプユニットを灯箱内に収納することを特徴とする信号灯器。
【考案の詳細な説明】
【技術分野】
【０００１】
本考案は、主に交通信号灯に用いられるＬＥＤランプなどに関するものである。
【背景技術】
【０００２】
交通信号灯は、その使用目的である交通安全の確保のために、高い信頼性を備え、発光する光が利用者から見やすい必要がある。
【０００３】
近年、電球に代わって、交通信号灯に発光ダイオード（Ｌｉｇｈｔ  Ｅｍｉｔｔｉｎｇ  Ｄｉｏｄｅ、ＬＥＤ）ランプが用いられている（例えば、特許文献１を参照）。一方、ＬＥＤランプ以外の電球を用いていた交通信号灯の電球を、ＬＥＤランプに交換する場合、灯箱ごと交換することも考えられるが、コストや工事の手間の削減のために、従来の電球を使用していたこれまでの灯箱やランプユニットをそのまま使用し、内部の電球部分だけＬＥＤランプに交換することが行われることが多い。
【０００４】
この様な交通信号等に用いられるＬＥＤランプとして、全てのＬＥＤが、一系統のＬＥＤ駆動用の電源回路に接続されているＬＥＤランプがある。
【０００５】
また、図３（ｂ）に示すような、ＬＥＤランプのＬＥＤ基板５１の直径が、グローブ５３の直径と同じか、より大きいＬＥＤランプが用いられている。
【先行技術文献】
【特許文献】
【０００６】
【特許文献１】特開２０００−２９４００２号公報
【考案の概要】
【考案が解決しようとする課題】
【０００７】
しかしながら、全てのＬＥＤが一つの電源回路より電力が供給されている場合、その電源回路に故障が生じた際に、全てのＬＥＤが点灯しなくなってしまうという問題点があった。その場合、交通信号灯の信号ランプが点灯しなくなってしまうため、交通に支障をきたし、更には交通事故を誘発する恐れもある。
【０００８】
また、図３（ｂ）のように、ＬＥＤランプのＬＥＤ基板５１の直径が、グローブ５３の直径と同じか、より大きい従来のＬＥＤランプと、反射板２５と前面レンズ２３を用いてランプユニット５７を形成すると、ＬＥＤ基板５１よりも後ろ側の領域Ｃにはグローブ５３から発した光が達しないため、領域Ｃに対応する領域には反射光６１を生ずることがない。そのため、ランプユニット５７を前面レンズ２３側から見ると、直射光５９の周囲に、反射光６１がない領域である円環状暗部５５が発生する。円環状暗部５５が発生すると運転者又は歩行者から信号色を観察しにくくなるという問題点があった。
【課題を解決するための手段】
【０００９】
本考案は、前述した問題点に鑑みてなされたもので、その目的とすることは、信頼性が高く、利用者から見やすい、交通信号灯に適したＬＥＤランプなどを提供することである。
【００１０】
前述した目的を達成するために、以下の考案が提供される。
（１）複数のＬＥＤと、前記ＬＥＤが取り付けられたＬＥＤ基板と、前記ＬＥＤ基板の背面中央部に設けられ、複数の前記ＬＥＤのうち一部のＬＥＤに電力を供給する第１の電源回路と、複数の前記ＬＥＤのうち他の一部のＬＥＤに電力を供給する第２の電源回路とが少なくとも格納される部屋部と、前記ＬＥＤ基板の前面に、前記ＬＥＤを覆うように設けられるグローブと、前記部屋部に設けられるプラグと、を具備することを特徴とするＬＥＤランプ。
（２）ＬＥＤと、前記ＬＥＤが取り付けられたＬＥＤ基板と、前記ＬＥＤ基板の背面中央部に設けられ、前記ＬＥＤに電力を供給する電源回路が格納される部屋部と、前記ＬＥＤ基板の前面に、前記ＬＥＤを覆うように設けられ、前記ＬＥＤ基板よりも直径が大きいグローブと、前記部屋部に設けられるプラグと、を具備することを特徴とするＬＥＤランプ。
（３）略椀型の反射板と、前記反射板の前面を覆う前面レンズと、前記反射板の中央部に取り付けられた（１）または（２）に記載のＬＥＤランプと、を具備するランプユニットを灯箱内に収納することを特徴とする信号灯器。
【考案の効果】
【００１１】
本考案により、信頼性が高く、利用者から見やすい、交通信号灯に適したＬＥＤランプなどを提供することができる。
【図面の簡単な説明】
【００１２】
【図１】本考案の実施の形態に係るＬＥＤランプ１の断面図。
【図２】本考案の実施の形態に係るＬＥＤランプ１の回路のブロック図。
【図３】（ａ）本考案の実施の形態に係るＬＥＤランプ１を用いたランプユニットの断面図、（ｂ）従来例に係るＬＥＤランプを用いたランプユニットの断面図。
【図４】（ａ）〜（ｃ）実施例、比較例１、比較例２に係るＬＥＤランプの側面図、（ｄ）〜（ｆ）実施例、比較例１、比較例２に係るＬＥＤランプを用いたランプユニットの点灯時の正面図。
【考案を実施するための形態】
【００１３】
以下図面に基づいて、本考案の実施の形態を詳細に説明する。
図１は、本考案の実施の形態に係るＬＥＤランプ１を示す断面図であり、図２は、本考案の実施の形態に係るＬＥＤランプ１の回路のブロック図であり、図３（ａ）は、本考案の実施の形態に係るＬＥＤランプ１を用いたランプユニットの断面図である。
【００１４】
ＬＥＤランプ１の構成について説明する。
ＬＥＤランプ１は、複数のＬＥＤ３が取り付けられたＬＥＤ基板５の前面に、ＬＥＤ３を覆うように、光の拡散とＬＥＤ保護の機能を持つグローブ１３が設けられる。ＬＥＤ基板５は、円板状のアルミプレートである。ＬＥＤ基板５の背面中央部には、複数のＬＥＤ３のうちの第１のＬＥＤ群４ａに電力を供給する第１の電源回路７ａと、第２のＬＥＤ群４ｂに電力を供給する第２の電源回路７ｂが格納される部屋部９とが設けられる。部屋部９は、第１の電源回路７ａ及び第２の電源回路７ｂを格納する中空のアルミ製の筒状体である。また、ＬＥＤ基板５の背面には、放熱フィン１１が設けられ、部屋部９にはプラグ１５が設けられる。放熱フィン１１は、ＬＥＤ基板５の背面より垂直に伸びて多数配置された放熱冷却用の金属板である。プラグ１５は、後述する反射板２５に取り付けられるソケットに螺合するとともに、ソケットから供給される電力を第１の電源回路７ａ及び第２の電源回路７ｂに伝える。プラグ１５は、従来の信号灯の電球と互換性のある形状である。なお、ＬＥＤ基板５、部屋部９、放熱フィン１１は、アルミニウム以外の材料を用いてもよい。グローブ１３の直径Ａは、ＬＥＤ基板５の直径Ｂよりも大きい。
【００１５】
図２に示すように、複数のＬＥＤ３は、第１の電源回路７ａから電力を供給される第１のＬＥＤ群４ａと、第２の電源回路７ｂから電力を供給される第２のＬＥＤ群４ｂとで構成される。第１の電源回路７ａは、プラグ１５を介して供給される交流電力を、ノイズ除去回路でノイズを除去し、整流回路で直流に変換し、ＬＥＤ群駆動回路でＬＥＤ３の作動電圧になるよう調整した後に、ＬＥＤ３に印加し、ＬＥＤ３を点灯させる。第２の電源回路７ｂも同様に機能する。なお、第３のＬＥＤ群と第３の電源回路をさらに有してもよい。また、第１の電源回路７ａに対して必ずしもＬＥＤ３が複数接続されている必要はなく、一つのＬＥＤ３が接続されていても良い。
【００１６】
次にＬＥＤランプ１の作用について説明する。
図１に示すように、グローブ１３の直径Ａは、ＬＥＤ基板５の直径Ｂよりも大きい。そのため、図３（ａ）に示すように、ＬＥＤランプ１を、略椀型の反射板２５の中央部に取りつけ、前面レンズ２３で反射板２５との前面を覆ってランプユニット２７を形成すると、ＬＥＤ３からの直射光２９のほかに、グローブ１３内のＬＥＤ３から発せられた光が、ＬＥＤ基板５よりも後ろの反射板２５に到達し、反射光３１として前方に出射する。そのため、ランプユニット２７を前面レンズ２３側から見ると、直射光２９と反射光３１の間に光が来ない箇所ができにくく、円環状暗部は生じない。
【００１７】
本実施の形態によれば、複数のＬＥＤを複数のＬＥＤ群に分け、それぞれに電源回路を有するため、一つの電源回路が故障した場合でも、他の電源回路に接続されたＬＥＤが点灯し続けるため、ＬＥＤランプが完全に発光しない全滅灯を防ぐことができる。
【００１８】
さらに、本実施の形態によれば、グローブの直径がＬＥＤ基板の直径よりも大きく、ランプユニットの反射板の広い範囲に光が到達するため、ランプユニットに円環状暗部が発生することを防ぐことができる。
【実施例】
【００１９】
以下、本考案について実施例および比較例を用いて具体的に説明する。
［実施例］
図４（ａ）に示す、グローブの直径がＬＥＤ基板の直径よりも大きい、本実施の形態に係るＬＥＤランプを用いてランプユニットを構成した。
【００２０】
［比較例１］
図４（ｂ）に示す、ＬＥＤ基板の直径がグローブよりも大きい、従来のＬＥＤランプを用いてランプユニットを構成した。
【００２１】
［比較例２］
図４（ｃ）に示す、白熱電球（パナソニック製道路交通信号機用電球ＴＳ−６０Ｅ）を用いてランプユニットを構成した。
【００２２】
［観察結果］
これらのランプユニットを前面から観察した写真が図４（ｄ）〜（ｆ）である。図４（ｅ）の比較例１に係るランプユニットでは、ＬＥＤランプのある中心部とその周囲の光量の差が大きく、円環状暗部５５が発生しているのに対し、図４（ｄ）の実施例に係るランプユニットでは、中心部とその周囲の光量の差が軽減され、特に円環状暗部５５が観察されないことが分かる。また、図４（ｄ）の実施例に係るランプユニットは、図４（ｆ）の白熱電球を用いた比較例２のランプユニットと同じ程度に光量が均一に分散されていることが分かる。
【００２３】
以上、添付図面を参照しながら、本考案の好適な実施形態について説明したが、本考案は係る例に限定されない。当業者であれば、本願で開示した技術的思想の範疇内において、各種の変更例または修正例に想到しえることは明らかであり、それらについても当然に本考案の技術的範囲に属するものと了解される。
【符号の説明】
【００２４】
１………ＬＥＤランプ
３………ＬＥＤ
４ａ………第１のＬＥＤ群
４ｂ………第２のＬＥＤ群
５………ＬＥＤ基板
７ａ………第１の電源回路
７ｂ………第２の電源回路
９………部屋部
１１………放熱フィン
１３………グローブ
１５………プラグ
２３………前面レンズ
２５………反射板
２７………ランプユニット
２９………直射光
３１………反射光
５１………ＬＥＤ基板
５３………グローブ
５５………円環状暗部
５７………ランプユニット
５９………直射光
６１………反射光
【図１】
0003173945.tif 000003
【図２】
0003173945.tif 000004
【図３】
0003173945.tif 000005
【図４】
0003173945.tif 000006